(57)【要約】【課題】給水装置に関し、貯水タンクに給水された水をすばやく冷却し、低温に保温することを図る。【解決手段】扉８を備えた冷蔵庫本体７の庫内側上部に、内側に冷凍室９を形成する蒸発器１２が、蒸発器１２と相対する扉８の庫内側に貯水タンク１０が配置されており、貯水タンク１０に貯水された水を冷蔵庫本体７の扉８の外部へと移動させる、一端が貯水タンク１０に接続され他端が扉８の外部に配置されるパイプ１１とを備え、貯水タンク１０の上部に蒸発器１２に接合された冷却部材１３が構成され、冷蔵庫本体７の冷却運転が始まると蒸発器１２が冷却される。この時、蒸発器１２と同時に冷却部材１３も冷却される。冷却された冷却部材１３により、冷却部材１３下部の貯水タンク１０が熱伝導部材で構成されているため貯水タンク１０に給水された水をすばやく冷却し、低温に保温できる。【選択図】図１
2006242500.tif 000002
【特許請求の範囲】
【請求項１】
扉を有する冷蔵庫に備えつけられる給水装置であって、前記冷蔵庫の内部に備えられる貯水タンクと、前記貯水タンクに貯水された水を前記冷蔵庫の前記扉の外部へと移動させる、一端が前記貯水タンクに接続され、他端が前記冷蔵庫の前記扉の外部に配置されるパイプとを有し、前記貯水タンクの上部に配置されるような形状の冷却部材を接合した蒸発器を備え熱伝導部材で構成された給水タンクを備えた冷蔵庫の給水装置。
【請求項２】
前記貯水タンクにおいて、貯水タンクに配置されたタンク蓋部を熱伝導部材で構成し、給水タンク内側にタンク形状を延長したことを特徴とする請求項１に記載の冷蔵庫の給水装置。
【請求項３】
前記貯水タンクに配置された蓋部のキャップを熱伝導部材で構成し、前記貯水タンク内側に前記キャップの形状を延長したことを特徴とする請求項１に記載の冷蔵庫の給水装置。
【発明の詳細な説明】
【技術分野】
【０００１】
本発明は、冷蔵庫の扉の内側に配設された貯水タンクから扉の外側へ冷水を供給する給水装置に関するものである。
【背景技術】
【０００２】
従来、この種の直冷式冷蔵庫の給水装置としては、冷蔵庫の扉の内側に貯水タンクを備え、前記給水タンクに貯水された水を前記冷蔵庫の扉の外側へと移動させるポンプと、一端が前記ポンプに接続され、他端が前記冷蔵庫の扉の外側に配置されるパイプとを有しているものがある（例えば、特許文献１参照）。
【０００３】
図８は、特許文献１に記載された従来の給水装置を示すものである。図７に示すように冷蔵庫本体１の扉２と、貯水タンク３と、キャップ４と、給水パイプ５と、給水ポンプ６とから構成されている。
【０００４】
以上のように構成された給水装置について、以下その動作を説明する。
【０００５】
まず、冷蔵庫本体１の扉２が開かれ、貯水タンク３のキャップ４が外され、水が給水される。その後、扉２が閉られ、貯水タンク３に給水された水が冷却される。冷却された冷水は、給水ポンプ６により、給水パイプ５を経由して扉２の外側へ給水される。
【特許文献１】特開２００３−２０７２６６号公報
【発明の開示】
【発明が解決しようとする課題】
【０００６】
しかしながら、上記従来の構成では、扉に配置された貯水タンクを冷蔵庫庫内の冷気で冷却するため、貯水タンクに給水された水をすばやく冷却することができず、また、冷蔵庫庫内を凍結しない温度に調節しつつ、貯水タンクの水を低温（約０℃）に保温できないという課題を有していた。
【０００７】
本発明は従来の課題を解決するもので、給水装置本発明の給水装置は貯水タンクに給水された水をすばやく冷却し、低温（約０℃）に保温することができるようにした給水装置を提供することを目的とする。
【課題を解決するための手段】
【０００８】
上記従来の課題を解決するために、扉を有する冷蔵庫に備えつけられる給水装置であって、冷蔵庫の内部に備えられる貯水タンクと、貯水タンクに貯水された水を冷蔵庫の記扉の外部へと移動させる、一端が前記貯水タンクに接続され、他端が前記冷蔵庫の扉の外部に配置されるパイプとを有し、貯水タンクの上部に配置されるような形状の冷却部材を接合した蒸発器を備え、熱伝導部材で構成された給水タンクを備えたものである。
【０００９】
これによって、貯水タンクが冷却部材からの熱伝導で冷却され、タンク内の水をすばやく冷却し、低温に保温できるようにしたものである。
【発明の効果】
【００１０】
本発明の給水装置は、貯水タンクが熱伝導部材で構成されることにより、貯水タンクの水をすばやく冷却し、低温に保温することができる。
また、本発明の給水装置は、貯水タンクに配置されたタンク蓋が熱伝導部材で構成され、貯水タンク内側に蓋形状を延長することにより、貯水タンクの水をすばやく冷却し、低温に保温することができる。
【００１１】
また、本発明の給水装置は、貯水タンクに配置される蓋のキャップが熱伝導部材で構成され、貯水タンク内側にキャップ形状を延長することにより、貯水タンクの水をすばやく冷却し、低温に保温することができる。
【発明を実施するための最良の形態】
【００１２】
請求項１に記載した発明は、扉を有する冷蔵庫に備えつけられる給水装置であって、前記冷蔵庫の内部に備えられる貯水タンクと、前記貯水タンクに貯水された水を前記冷蔵庫の前記扉の外部へと移動させる、一端が前記貯水タンクに接続され、他端が前記冷蔵庫の前記扉の外部に配置されるパイプとを有し、前記貯水タンクの上部に配置されるような形状の冷却部材を接合した蒸発器を備え熱伝導部材で構成された給水タンクを備えたものであり、熱伝導部材で構成された貯水タンクは前記冷却部材により冷却され、貯水タンクに給水された水をすばやく冷却し、低温に保温することができる。
【００１３】
請求項２に記載した発明は、請求項１に記載した発明において、前記貯水タンクにおいて、貯水タンクに配置されたタンク蓋部を熱伝導部材で構成し、給水タンク内側にタンク形状を延長したものであり、よりすばやく冷却でき低温に保温することができる。
【００１４】
請求項３に記載した発明は、請求項１に記載した発明において、前記貯水タンクに配置された蓋部のキャップを熱伝導部材で構成し、前記貯水タンク内側に前記キャップの形状を延長したものであり、よりすばやく冷却でき低温に保温することができる。
【００１５】
以下、本発明の実施の形態について、図面を参照しながら説明するが、従来例または先に説明した実施の形態と同一構成について同一符号を付して、その詳細な説明は省略する。なお、この実施の形態によってこの発明が限定されるものではない。
【００１６】
（実施の形態１）
図１は、本発明の実施の形態１における給水器装置の断面図である。
【００１７】
図１において、扉８を備えた冷蔵庫本体７の庫内側上部に、内側に冷凍室９を形成する蒸発器１３が配置されており、蒸発器１３と相対する扉８の庫内側に熱伝導部材で構成された貯水タンク１０が配置されており、貯水タンク１０に貯水された水を冷蔵庫本体７の扉８の外部へと移動させる、一端が貯水タンク１０に接続され、他端が扉８の外部に配置されるパイプ１１とを備えており、貯水タンク１０の上部に配置されるような形状の蒸発器１２に接合された冷却部材１３で構成されている。
【００１８】
以上のように構成された給水装置について、以下その動作、作用を説明する。
【００１９】
まず、冷蔵庫本体７の冷却運転が始まると、蒸発器１２が冷却される。この時、蒸発器１２に接合された冷却部材１３も同時に冷却される。冷却された冷却部材１３により、冷却部材１３の下部に配置された貯水タンク１０が熱伝導部材で構成されているため、すばやく冷却され、貯水タンク１０に給水された水をすばやく冷却し、低温に保温することができる。
【００２０】
（実施の形態２）
図２は、本発明の実施の形態２における給水器装置の断面図である。図３は、本発明の実施の形態２における貯水タンク構造の断面図である。
【００２１】
図２において、扉８を備えた冷蔵庫本体７の庫内側上部に、内側に冷凍室９を形成する蒸発器１２が配置されており、蒸発器１２と相対する扉８の庫内側に貯水タンク１４が配置されており、貯水タンク１４に貯水された水を冷蔵庫本体７の扉８の外部へと移動させる、一端が貯水タンク１４に接続され、他端が扉８の外部に配置されるパイプ１１とを備えており、貯水タンク１４の上部に配置されるような形状の蒸発器１２に接合された冷却部材１３で構成されている。また、図３において、貯水タンクの蓋部１５は貯水タンク内側に形状を延長した構造をとっている。
【００２２】
以上のように構成された給水装置について、以下その動作、作用を説明する。
【００２３】
まず、冷蔵庫本体７の冷却運転が始まると、蒸発器１２が冷却される。この時、蒸発器１２に接合された冷却部材１３も同時に冷却される。冷却された冷却部材１３により、冷却部材１３の下部に配置された貯水タンク１４の蓋部１５が熱伝導部材で構成されていてさらに、貯水タンク内側に形状を延長した構成より、貯水タンク１０に給水された水をすばやく冷却し、低温に保温することができる。
【００２４】
（実施の形態３）
図４は、本発明の実施の形態３における給水器装置の断面図である。図５は、本発明の実施の形態３における貯水タンク構造の断面図である。
【００２５】
図４において、扉８を備えた冷蔵庫本体７の庫内側上部に、内側に冷凍室９を形成する蒸発器１２が配置されており、蒸発器１２と相対する扉８の庫内側に貯水タンク１６が配置されており、貯水タンク１６に貯水された水を冷蔵庫本体７の扉８の外部へと移動させる、一端が貯水タンク１６に接続され、他端が扉８の外部に配置されるパイプ１１とを備えており、貯水タンク１６の上部に配置されるような形状の蒸発器１２に接合された冷却部材１３で構成されている。また、図５において、貯水タンクの蓋１７のキャップ１８は貯水タンク内側に形状を延長した構造をとっている。
【００２６】
以上のように構成された給水装置について、以下その動作、作用を説明する。
【００２７】
まず、冷蔵庫本体７の冷却運転が始まると、蒸発器１２が冷却される。この時、蒸発器１２に接合された冷却部材１３も同時に冷却される。冷却された冷却部材１３により、冷却部材１３の下部に配置された貯水タンク１６の蓋部１７のキャップ１８が熱伝導部材で構成されていてさらに、貯水タンク内側に形状を延長した構成より、貯水タンク１０に給水された水をすばやく冷却し、低温に保温することができる。また給水出口部１９の近傍に構成されているので、給水初回において低温の水を供給することができる。
【産業上の利用可能性】
【００２８】
以上のように、本発明にかかる給水装置は、貯水タンクの水をすばやく冷却し、低温に保温することができるので、冷水器等の用途にも適用できる。
【図面の簡単な説明】
【００２９】
【図１】本発明の実施の形態１における給水装置の断面図
【図２】本発明の実施の形態２における給水装置の断面図
【図３】本発明の実施の形態２における貯水タンク構造の断面図
【図４】本発明の実施の形態３における給水装置の断面図
【図５】本発明の実施の形態３における貯水タンク構造の断面図
【図６】従来の給水装置の断面図
【符号の説明】
【００３０】
７    冷蔵庫本体
８    扉
９    冷凍室
１０    貯水タンク
１１    パイプ
１２    蒸発器
１３    冷却部材
１４    貯水タンク
１５    タンク蓋部
１６    貯水タンク
１７    タンク蓋部
１８    キャップ
１９    給水出口部
【図１】
2006242500.tif 000003
【図２】
2006242500.tif 000004
【図３】
2006242500.tif 000005
【図４】
2006242500.tif 000006
【図５】
2006242500.tif 000007
【図６】
2006242500.tif 000008